(57)【特許請求の範囲】
【請求項１】
脚装置で支持された金属板製の上枠と、前記上枠で支持された天板とを備えており、
前記上枠は、前記脚装置で支持された底板とこの底板の外周から立ち上がった壁板とを有しており、前記壁板の上端に、前記天板が載る外向きフランジを形成している構成であって、
前記外向きフランジは、前記壁板の上端から外側に折り曲げられた下面板と、前記下面板の先端から内側に折り返された上面板との２枚重ね構造になっていて、前記上面板の先端に、前記底板に当接するように下向きに曲がった内側板が形成されている、
作業台。
【請求項２】
前記上面板を前記壁板よりも上枠の内側に入り込ませることでインナーサポート部が形成されていて、前記インナーサポート部の内端に前記内側板が形成されており、前記壁板と内側板との間は中空になっていると共に、前記天板は、前記外向きフランジとインナーサポート部との両方に載っている、
請求項１に記載した作業台。
【請求項３】
脚装置で支持された金属板製の上枠と、前記上枠で支持された天板とを備えており、
前記上枠は、前記脚装置で支持された底板とこの底板の外周から立ち上がった壁板とを有しており、前記壁板の上端に、前記天板が載る外向きフランジを形成している構成であって、
前記外向きフランジは、前記壁板の上端から外側に折り曲げられた下面板と、前記下面板の先端に設けた内向きの上面板とを備えており、前記上面板と下面板との間に間隔を空けることによって前記外向きフランジを中空に形成しており、
更に、前記外向きフランジの上面板を前記壁板よりも上枠の内側に入り込ませることでインナーサポート部を形成し、前記インナーサポート部の内端に、前記底板に当接する下向きの内側板を、当該内側板と前記外壁との間に空間が空くようにして曲げ形成しており、前記天板は、前記外向きフランジとインナーサポート部との両方に載っている、
作業台。
【請求項４】
脚装置で支持された金属板製の上枠と、前記上枠で支持された天板とを備えており、
前記上枠は、前記脚装置で支持された底板とこの底板の外周から立ち上がった壁板とを有している構成であって、
前記上枠における壁板の上端に、前記上枠の内側に位置して底板に当接する下向きの内側板を一体に設けており、
前記壁板の上端と内側板の上端とが、前記天板が載る水平状のインナーサポート部で繋がれているか、又は、前記内側板の中途高さ部位に、前記天板が載る水平状のインナーサポート部が段状に曲げ形成されており、
前記インナーサポート部の下方では、前記内側板と壁板との間は中空になっている、
作業台。
【発明の詳細な説明】
【技術分野】
【０００１】
本願発明は、上面で各種作業を行い得る作業台（テーブル）に関するものである。なお、本願発明の作業台は上面で各種作業を行うことができれば足り、引き出しや棚、キャビネット部等の附属要素を備えていてもよい。また、定置式である必要はなく、キャスタを設けたワゴンタイプも含んでいる。更に、高さが一定のタイプと、高さを調節できる昇降式との両方を含んでいる。更に、本願発明の作業台は、建物等に組み付けられた固定式のカウンターも含んでいる。
【背景技術】
【０００２】
作業台は一般に平面視四角形になっており、脚装置に固定した上枠に天板を固定した構造になっている。上枠は、一般に、形鋼や角形鋼管を切断したものを溶接して平面視四角形に形成したタフレーム構造になっており、四隅の下面に脚支柱を固定している。また、ある程度の大型になると、上枠は、補強フレームを有する日字形になっていることが多い（例えば特許文献１，２）。天板を固定するに当たっては、一般に、上枠の外周面に逆Ｌ型のブラケットを溶接し、ブラケットの上水平片と天板をビスで固定していることが多い。
【０００３】
上枠を型鋼や角形鋼管で構成しているのは、部材の量を節約しつつ高い強度を確保するためと言えるが、材料の切断作業や溶接作業に手間がかかる問題や、溶接による歪みが発生し易い問題、天板を固定するために更にブラケットを溶接せねばならない問題、といった幾つかの問題があった。
【０００４】
他方、特許文献３には、上枠（天枠体）を板金製として、この上枠で、天板を直接に又は上棚を介して支持することが開示されている。この特許文献３の上枠は、四角形の底板の四周に上向きの折り返し部を設けた構成であり、折り返し部の上端部は中空に構成されている。この特許文献３のように上枠として板金加工品を採用すると、加工が簡単であると共に高い寸法精度を確保できる利点がある。
【先行技術文献】
【特許文献】
【０００５】
【特許文献１】特開２０１１−１７２８２９号公報
【特許文献２】特許第２８７３３７０号公報
【特許文献３】特開２０１０−１７３０３８号公報
【発明の概要】
【発明が解決しようとする課題】
【０００６】
特許文献３の上枠は、折り返し部（壁板）の上端に中空部が形成されているため、単に壁板を折り曲げただけの構成に比べると、頑丈な構造になると共に天板の支持面積も広くとることができるが、折り返し部の上端を中空に構成しただけでは、上枠の強度アップや天板の支持機能アップに限度があった。また、天板を固定するためにはブラケットを溶接等で固定せねばならないため、ブラケットの取り付け作業に手間がかかるという問題もあった。
【０００７】
本願発明はこのような現状に鑑み成されたものであり、上枠を板金加工品とすることは特許文献３を踏襲しつつ、より一層の強度アップや構造簡素化などを実現せんとするものである。
【課題を解決するための手段】
【０００８】
請求項１の発明は、
「脚装置で支持された金属板製の上枠と、前記上枠で支持された天板とを備えており、
前記上枠は、前記脚装置で支持された底板とこの底板の外周から立ち上がった壁板とを有しており、前記壁板の上端に、前記天板が載る外向きフランジを形成している構成であって、
前記外向きフランジは、前記壁板の上端から外側に折り曲げられた下面板と、前記下面板の先端から内側に折り返された上面板との２枚重ね構造になっていて、前記上面板の先端に、前記底板に当接するように下向きに曲がった内側板が形成されている、」
というものである。
【０００９】
なお、本願各発明において、「下向き」は、鉛直姿勢と鉛直に対して傾斜した姿勢との両方を含んでいる。また、壁板は底板の全周にわたって形成する必要はなく、上枠の外周のうちその一部に壁板が存在しない部位があってもよい。
請求項２の発明では、請求項１において、  前記上面板を前記壁板よりも上枠の内側に入り込ませることでインナーサポート部が形成されていて、前記インナーサポート部の内端に前記内側板が形成されており、前記壁板と内側板との間は中空になっていると共に、前記天板は、前記外向きフランジとインナーサポート部との両方に載っている。
【００１０】
請求項３の発明では、請求項１と同じ基本構成にいて、                            「前記外向きフランジは、前記壁板の上端から外側に折り曲げられた下面板と、前記下面板の先端に設けた内向きの上面板とを備えており、前記上面板と下面板との間に間隔を空けることによって前記外向きフランジを中空に形成しており、
更に、前記外向きフランジの上面板を前記壁板よりも上枠の内側に入り込ませることでインナーサポート部を形成し、前記インナーサポート部の内端に、前記底板に当接する下向きの内側板を、当該内側板と前記外壁との間に空間が空くようにして曲げ形成しており、前記天板は、前記外向きフランジとインナーサポート部との両方に載っている、」
という構成が付加されている。
請求項４の発明は、
「脚装置で支持された金属板製の上枠と、前記上枠で支持された天板とを備えており、
前記上枠は、前記脚装置で支持された底板とこの底板の外周から立ち上がった壁板とを有している構成であって、
前記上枠における壁板の上端に、前記上枠の内側に位置して底板に当接する下向きの内側板を一体に設けており、
前記壁板の上端と内側板の上端とが、前記天板が載る水平状のインナーサポート部で繋がれているか、又は、前記内側板の中途高さ部位に、前記天板が載る水平状のインナーサポート部が段状に曲げ形成されており、
前記インナーサポート部の下方では、前記内側板と壁板との間は中空になっている、」
というものである。
【発明の効果】
【００１１】
本願各発明のように壁板に内側板を設けると、内側板が底板に当たることにより、天板及びこれに作用した下向きの荷重は壁板と内側板とを介して底板に作用するため、上枠の堅牢性を格段に向上させることができる。特に、請求項２のように、壁板と内側板との間に空間を設けて壁部を中空構造にすると、上枠を角形鋼管製とした場合に準じた高い強度を確保できて、特に好適である。
【００１２】
また、本願発明のように、壁板の上端に外向きフランジを設けると、従来のようにブラケットを溶接しなくとも、上枠の一部であるフランジを天板の締結に使用できるため、それだけ部材点数を抑制して構造を簡単化できる。また、上枠の一部であるフランジを天板に締結することにより、天板が上枠の補強部材としての役割を果たすため、作業台の全体としての強度（堅牢性）をアップすることもできる。更に、外向きフランジ外周面は丸みを帯びた断面形状になるため、人の手が触れても怪我することなく安全性を確保できる利点がある。
【００１３】
請求項２のように構成すると、内側板を設けたことと、壁板と内側板との間に空間を開けたこと、及び外向きフランジが２枚重ね状態になっていることの三者が相まって、上枠の強度を格段に向上させることができる。かつ、外向きフランジが２枚重ね構造であることにより、天板との締結強度も向上できる。
【図面の簡単な説明】
【００１４】
【図１】第１実施形態の作業台を上から見た一部破断斜視図である。
【図２】第１実施形態の作業台を下から見た一部破断斜視図である。
【図３】第１実施形態の作業台の分離斜視図である。
【図４】第１実施形態の作業台の部分的な分離斜視図である。
【図５】第１実施形態の作業台の部分斜視図である。
【図６】図４のVI-VI 視断面図である。
【図７】（Ａ）は図４の VII-VII断面図、（Ｂ）（Ｃ）はそれぞれ別例図である。
【図８】支持構造の別例である第２〜第６実施形態を示す図である。
【図９】上枠の別例である第７〜第１１実施形態及び参考例１〜３を示す図である。
【図１０】上枠の別例である第１２〜１６実施形態及び参考例４を示す図である。
【発明を実施するための形態】
【００１５】
次に、本願発明の実施形態を図面に基づいて説明する。まず、図１〜図７に示す第１実施形態から説明する。
【００１６】
(1).第１実施形態の概要
図１，２に明示するように、作業台は、平面視矩形（長方形）の天板１と、この天板１が上から重なっている平面視矩形（長方形）の上枠２と、上枠２の四隅部を下方から支持する４本の脚支柱３とを備えている。以下の説明では、方向を特定するため、便宜的に「前後」「左右」の文言を使用するが、この「前後」「左右」は、図１に表示するように、作業台の短辺方向を前後方向として、長辺方向を左右方向としている（逆でもよい。）。また、平面視において上枠２の四周で囲われた内部を「内側」と呼び、これと反対側を「外側」と呼んでいる。
【００１７】
天板１は、実施形態では木製品を使用しているが、スチール製や樹脂製、或いは異種材料の複合品とすることも可能である。上枠２は、１枚の鋼板を打ち抜き及び曲げ加工することで製造されており、例えば、金型を使用しない曲げ加工機で製造することができる。上枠２は上向き開口の浅いトレー状（箱状）に形成されており（詳細は後述する）、図３，４，７に示すように、左右短辺寄り部位の上面と左右中間部の上面とに、前後長手の補強枠４，４′を重ねて配置している。
【００１８】
例えば図３に示すように、脚支柱３は、角形で一面に縦溝５が開口した溝型鋼（Ｃ型鋼）を使用しており、軸方向から見ると（すなわち平面視では）、基本的には正方形になっており、その上端面に上板６を溶接によって固着し、上板６のはみ出し部と上枠２と補強枠４とが、ボルト７及び六角ナット８で締結（共締め）されている。例えば図１に示すように、前後脚支柱３は、その下端寄り部位が前後長手の第１補強ステー９で連結されており、左右のステー９は左右長手の第２補強ステー１０で連結されている。
【００１９】
第１補強ステー９は中空角形であり、図３に示すように、脚支柱３の縦溝５に入り込んでいて、縦溝５の内部において脚支柱３に溶接されている。このため、脚支柱３は、溝型でありながらねじれに強い頑丈な構造になっている。図１では、第２補強ステー１０は棚板状に表示し、図２では角パイプ状に表示している。いずれのタイプも採用可能である。複数本の第２補強ステー１０を設けることも可能である。各脚支柱３の下端にアジャスタボルト１１を設けているが、キャスタを取り付けてもよい。
【００２０】
(2).上枠の詳細
次に、上枠２の構造を説明する。上枠２は、上記のとおり１枚の鋼板を材料にした板金加工品であり、平面視矩形の底板１３を有していて、この底板１３の四周縁に、壁板１４，１５が鉛直姿勢で上向きに立ち上げられており（曲げ形成されており）、このため、上枠２は、上向きに開口した浅いトレー状（箱状）の外観を呈している。便宜的に、底板１３の長辺部に立ち上げられた壁板を長辺壁板と称して符号１４を付し、底板１３の短辺部に立ち上げられた壁板を短辺壁板と称して符号１５を付す。
【００２１】
図６に示すように、長辺壁板１４の上端には、外向きに張り出した長辺部外向きフランジ１６を一体に設けている。長辺部外向きフランジ１６は、長辺壁板１４に繋がった下面板１６ａと、下面板１６ａを内側に折り返して形成された上面板１６ｂとで２枚重ね構造になっており、上面板１６ｂを長辺壁板１４よりも内側に入り込ませることにより、長辺部外向きフランジ１６と同一面を成して連続する水平姿勢のインナーサポート部１７を形成し、インナーサポート部１７の内縁（先端）に、斜め下向きの内側板１８を一体に設けている（曲げ形成している。）。
【００２２】
内側板１８は、下端に行くほど長辺壁板１４との間隔が広がるように傾斜しており、その下端には、底板１３に重なる下水平片１９を曲げ形成している。下水平片１９は、底板１３にスポット溶接等の溶接で固定しているが、底板１３に当接させるだけでもよい。また、下水平片１９は長辺壁板１４と反対側の内側に突出しているが、図６に一点差線で示すように、長辺壁板１４の方向（外向き）に突出させることも可能である（溶接する場合は、内向き姿勢とするのが好ましい。）。
【００２３】
長辺部外向きフランジ１６とインナーサポート部１７との前後幅寸法は概ね同じ程度に設定しているが、長辺部外向きフランジ１６をインナーサポート部１７より長くしたり、その逆にしたりと、幅寸法は任意に設定できる。また、長辺部外向きフランジ１６とインナーサポート部１７とは、長辺壁板１４の上下幅寸法（高さ寸法）の１／４〜１／２程度に設定しているが、この比率も任意に設定できる。
【００２４】
内側板１８は上枠２と平行な鉛直姿勢に設定することも可能であるが、本実施形態のように内側板１８を傾斜させると、曲げ加工によって長辺壁板１４の高さと内側板１８の高さとに誤差が発生しても、内側板１８の傾斜角度が変化することで、加工誤差を吸収できる利点がある。
【００２５】
長辺部外向きフランジ１６と天板１とは、複数本のビス（ボルト）２０で締結されている。天板１にはビス２０がねじ込まれる鬼目ナット２１を埋設しているが、ビス２１として木ねじを使用して、天板１に直接ねじ込むことも可能である。長辺部外向きフランジ１６には、ビス挿通穴２２を適当な間隔で空けている。
【００２６】
例えば図７（Ａ）に示すように、短辺壁板１５の上端には、２枚重ね状で水平姿勢の短辺部外向きフランジ２３を形成しており、短辺部外向きフランジ２３もビス２０で天板１に締結されている。短辺部外向きフランジ２３は、短辺壁板１５に繋がった上面板２３ａと、上面板２３ａの先端から下向きに折り返された下面板２３ｂとで２枚重ね構造になっている。このため、高い強度を確保できる。折り返し構造を逆にして、下面板２３ｂが短辺壁板１５に繋がって、下面板２３ｂの先端から上面板２３ａが内向きに折り返されている構成とすることも可能である。
【００２７】
本実施形態のように、長辺部外向きフランジ１６及び短辺部外向きフランジ２３を２枚重ね状に構成すると、それらの外向きフランジ１６，２３の外周面は丸みを帯びた断面形状になるため、人の手が触れても怪我することはなくて安全性を確保できる利点がある。
【００２８】
長辺部外向きフランジ１６のビス穴２２は円形であるが、図３に拡大して示すように、短辺部外向きフランジ２３のビス穴２２は左右方向に長い長穴になっている。このため、上枠２及び天板１の加工誤差や組み立て誤差を吸収できる。長辺壁板１４と短辺壁板１５との端部を溶接で固定したり、両者に外側又は内側から平面視Ｌ形の添え板を重ねて、添え板と壁板１４，１５とをボルト（及びナット）で締結することも可能である。
【００２９】
(3).上枠２の支持構造
次に、脚支柱３による上枠２の支持構造を説明する。上枠２の内部には、短辺壁板１５に密接した状態でサイド補強枠４を重ね配置している。サイド補強枠４は、基本的には断面下向き開口コの字形で、開口縁（下端縁）には左右のフランジ片４ａを有した「ハット形」になっており、フランジ片４ａが底板１３に重なっている。サイド補強枠４は、上枠２の上面と同じ高さになっている。従って、天板１は、サイド補強枠４の上面にも重なっている（上枠２の上面より若干低くしてもよい。）。
【００３０】
図５に明瞭に示すように、サイド補強枠４の前後端面が上枠２の前後長辺壁板１４に当接又は近接するように設定している。このため、長辺壁板１４のインナーサポート部１７の端部と内側板１８の端部とは、補強枠４の左右全幅の寸法だけ切欠かれている（切欠き部を符号２４で示す。）。また、長辺部外向きフランジ１６の左右端部も、サイド補強枠４の左右全幅寸法からフランジ片４ａの幅寸法を除いた寸法だけ切欠いている（切欠き部を符号２５で示す。）。
【００３１】
但し、長辺部外向きフランジ１６は必ずしも切欠く必要はないのであり、図５に一点鎖線で示すように、長辺壁板１４の全長に亙って形成することも可能である。また、内側板１８も切欠かずに底板１３の左右全長にわたって形成して、サイド補強枠４を前後内側板１８の間に配置してもよいのである（この場合、下水平片１９だけを切欠いてもよいし、下水平片１９も切欠かずに、前後下水平片１９の間にサイド補強枠４を配置してもよい。）。
【００３２】
脚支柱３の上端に溶接した上板６は、脚支柱３の外側にはみ出すと共に、サイド補強枠４の全幅寸法と略同じ幅寸法になっている。そして、図７（Ａ）に示すように、サイド補強枠４の左右フランジ片４ａに前後２個ずつのナット８を溶接し、このナット８に下方からボルト７をねじ込むことにより、脚支柱３の上板６と上枠２の底板１３とサイド補強枠４のフランジ４ａとが共締めされている。敢えて述べるまでもないが、上板６と底板１３とにはボルト挿通穴２６が空いている（図５も参照）。
【００３３】
このように、サイド補強枠４の存在により、作業台は全体として高い強度を得ることができる。また、脚支柱３と上枠２とサイド補強枠４とをボルト７で共締めしているため、締結構造が簡単になる。なお、サイド補強枠４は上枠２の短辺の全長に亙って延びている必要はなく、短辺部の端部のみに設けるなど、前後長さは任意に設定できる。
【００３４】
図７（Ｂ）に示すように、脚支柱３の上端に、その側板を外向きに折り曲げた上水平片３ａを形成して、これを上板６に重ねることも可能である（溶接してもよい。）。また、図７（Ｃ）に示すように、上板６を使用することなく、脚支柱３の上端に設けた上水平片３ａと底板１３とサイド補強枠４とを共締めすることも可能である。
【００３５】
本実施形態の作業台は長方形であるため、左右中間部にも中間補強枠４′を配置し、底板１３に溶接によって固定している。より一層の強度を高めたい場合は、中間補強枠４′を左右複数箇所に配置したらよい。図３に明示するように、中間補強枠４′の上板に内側板１８の上端まで延びる舌片２７を設けている。舌片２７を内側板１８に溶接すると、前後の内側板１８が連結されるため、剛性をより一層向上できる利点がある。なお、中間補強枠４′の端部の箇所に中間脚支柱３を配置して、中間補強枠４′と上枠２と中間脚支柱３とを共締めすることも可能である。また、サイド補強枠４は上枠２に溶接しておいてもよい。
【００３６】
以上の説明のとおり、上枠２は板金製であるため、フレーム材を溶接する製法に比べて加工が簡単であると共に、高い精度も確保できる。特に、本実施形態の構成を採用すると、金型を使用しない曲げ加工機を使用して全体を一連に加工できるため、加工能率と精度との面で特に好適である。また、長方形の作業台の場合、長辺の壁部を中空構造に構成すると、曲げに対する強度を確保する上で好適である。図４に一点鎖線で示すように、上枠２の底板１３に、強度低下をもたらさない範囲で抜き穴２８を空けることも可能である。
【００３７】
(4).支持構造の別例
次に、他の実施形態を説明する。まず、図８に示す支持構造の別例（サイド補強枠４の別例）を説明する。図８のうち、（Ａ）に示す第２実施形態では、サイド補強枠４を、上向きに開口した溝形で上端に外向きの水平フラップ４ｂが形成された形態と成している。（Ｂ）に示す第３実施形態では、サイド補強枠４にＣ型鋼を使用して上向きに開口した姿勢で配置しており、ナット８は板ナットを使用している。
【００３８】
（Ｃ）に示す第４実施形態では、サイド補強枠４は角形鋼管を使用しており、サイド補強枠４にタップ穴を設けて、これにボルト７をねじ込んでいる。（Ｄ）に示す第５実施形態では、サイド補強枠４として角形棒材を採用している。（Ｅ）に示す第６実施形態では、サイド補強枠４としてＨ型鋼を採用している。図示していないが、サイド補強枠４は断面Ｌ形とすることも可能である。また、補強枠を設ける場合、上枠２の上面に重ねることには限らず、下面のみに重ねたり、上下両面に重ねることも可能である。
【００３９】
(5).上枠の別例
次に、図９，１０に表示している上枠２の別例を説明する。なお、以下の実施形態は長辺部の構造として説明するが、上枠２が長方形の場合、長辺部と短辺部との両方に適用したり、短辺部のみに適用したりすることも可能である。また、上枠２が正方形の場合は、長辺と短辺との違いは存在せず、任意の部位の構造として把握できる。
【００４０】
図９のうち（Ａ）に示す第７実施形態は第１実施形態の変形例であり、内側板１８を長辺壁板１４と同様に鉛直姿勢に形成している。第１実施形態で触れたように、下水平片１９は外向きに曲げることも可能である（この点は他の実施形態も同じである。）。
【００４１】
図９（Ｂ）に示す第８実施形態も第１実施形態の変形例であり、この実施形態では、長辺壁板１４は上に行くほど外向きにずれるように傾斜させて、内側板１８は鉛直姿勢になっている。一点差線で示すように、内側板１８を、下に行くほど外向きにずれるように、長辺壁板１４と反対側に傾いた傾斜姿勢とすることも可能である。
【００４２】
図９（Ｃ）に示す第９実施形態は請求項２を具体化したもので、この実施形態では、フランジは設けずに、長辺壁板１４の上端にインナーサポート部１７を形成して、インナーサポート部１７の先端（内端）から内側板１８を垂下している。この場合は、インナーサポート部１７に、天板１を固定するためのビス穴２２を空けており、上枠２の底板１３には、ビス及びドライバ等の工具を差し込むための逃がし穴３０を空けている。
【００４３】
図９（Ｃ）では長辺壁板１４と内側板１８とは鉛直姿勢になっているが、図９（Ｄ）に示す第１０実施形態では、内側板１８を、下に行くほど内側にずれる傾斜姿勢と成している。一点鎖線で示すように、長辺壁板１４を上に行くほど内側にずれる傾斜姿勢にすることも可能である。第１０実施形態も、請求項２を具体化したものである。なお、後述の実施形態でインナーサポート部１７に天板１を固定するタイプがあるが、それらは、第９，第１０実施形態のように、上枠２の底板１３に逃がし穴３０が空いている。
【００４４】
図９（Ｅ）に示す第１１実施形態では、長辺壁板１４の上端に２枚重ね構造の外向きフランジ１６を設けた場合において、外向きフランジ１６の上面板１６ｂには、内側板１８を長辺壁板１４の内面に密着又は密接する状態で形成している。図９（Ｆ）に示す参考例では、長辺壁板１４の状態に２枚重ね構造の内向きフランジ３１を形成し、その下面板３１に、長辺壁板１４の内面に密着又は密接する内側板１８を曲げ形成している。内側板１８を長辺壁板１４に密着又は密接した場合において、外向きフランジ１６と内向きフランジ３１とを形成して、壁部を断面Ｔ型に形成することも可能であり、この場合は本願発明の実施形態になる。
【００４５】
図９（Ｇ）に示す参考例２では、長辺壁板１４の上端にインナーサポート部１７を曲げ形成して、インナーサポート部１７の先端に、内側板１８の内側に突出した内向きフランジ３１を形成している。すなわち、この参考例では、壁部は中空に構成されていて、上端に、インナーサポート部１７と内向きフランジ３１とが同一面を成す状態で形成されている。
【００４６】
図９（Ｈ）に示す参考例３では、長辺壁板１４の上端にシングル方式の外向きフランジ１６を形成して、その先端から外側板３２を垂下し、外側板３２の下端に、底板１３と同じ高さの外水平片３３を一体に曲げ形成している。この参考例３の場合、補強枠を底板１３と外水平片３３との下面に重なるように配置したらよい。補強枠を底板１３と外水平片３３とは溶接によって固定してもよい。この参考例３から理解できるように、補強枠４は上枠２の下面に配置してもよいのである。
【００４７】
図１０（Ｉ）に示す第１２実施形態は請求項３の具体例であり、この実施形態では、長辺壁板１４の上端に外向きフランジ１６を形成した場合において、外向きフランジ１６を、上面板１６ｂと下面板１６ａとの間に空間が開いた中空構造にしている。この場合、天板１に締結するためのビス穴は上面板１６ｂに設けて、下面板１６ａには逃がし穴（図示せず）を空けている。  図１０（Ｊ）に示す第１３実施形態は第１２実施形態の変形例であり、内側板１８を鉛直姿勢と成している。
【００４８】
図１０（Ｋ）に示すのは請求項４の具体例であり、この第１４実施形態では、外向きフランジ１６とインナーサポート部１７とを一連に形成した場合において、外向きフランジ１６の外端に２枚重ね構造の上向き壁部３４を形成して、上向き壁部３４の内側に天板１を配置している。図１０（Ｌ）に示す第１５実施形態では、長辺壁板１４の略上半部を２枚重ね状に形成してこれを上向き壁部３４と成し、上向き壁部３４の下端にインナーサポート部１７を形成している。第１５実施形態も、請求項４の具体例である。
【００４９】
図１０（Ｍ）に示す第１６実施形態は第１４，１５実施形態の変形例であり、長辺壁板１４を上に行くほど外側にずれた傾斜姿勢に設定している。また、図１０（Ｎ）に示す参考例４では、長辺壁板１４に内側板１８を一体に形成して、これらの上部を上向き壁部３４と成すと共に、内側板１８の下端に、下水平片３５ａを有するハット形のランド部３５が一体に形成されている。
【００５０】
第１４〜１６実施形態のように天板１を囲う上向き壁部３４を設けると、天板１の側面が傷付くことを防止できる利点や、上向き壁部３４にマグネット式表示具を着脱できる等の利点がある。また、上向き壁部３４がリブ効果を発揮するため、剛性（強度）の更なるアップにも貢献できる。
【００５１】
(6).その他
本願発明は、上記の実施形態の他にも様々に具体化できる。例えば作業台は四角形には限らず、円形や楕円形や小判形等のような他の形態を採用することも可能である。この場合、天板と上枠とを略同じ平面形状に構成してもよいし、例えば、上枠は四角形に形成して天板を円形等に形成することも可能である。上枠と天板との間に中間枠を配置することも可能である。更に、天板を上枠に開閉自在又は着脱自在な構成として、上枠の内部を物品の収納部に利用することも可能である。
【００５２】
脚装置の構造も、必要に応じて任意に設定できる。例えば、脚支柱は実施形態のような棒足方式には限らず、板状構造を採用することも可能である。棒足方式を採用する場合、本数は必要とする強度等に応じて任意に設定できる。また、丸パイプ状や中実角棒状など、様々な構造を採用できる。特許文献３のように脚を上下伸縮式に構成することも可能である。脚装置として、引出し方式又はオープン方式の袖キャビネットを使用することも可能である。上枠の底板には、補強のためのリブを形成してもよい。
【００５３】
【産業上の利用可能性】
【００５４】
本願発明を適用した作業台を製造できる。従って、本願発明は産業上利用できる。
【符号の説明】
【００５５】
１  天板
２  上枠
３  脚装置を構成する脚支柱
４  サイド補強枠
７  ボルト
８  ナット
１３  上枠の底板
１４  長辺壁板
１５  短辺壁板
１６  外向きフランジ
１６ａ  下面板
１６ｂ  上面板
１７  インナーサポート部
１８  内側板
１９  下水平片
３４  上向き壁部
【図１】
0005959092.tif 000002
【図２】
0005959092.tif 000003
【図３】
0005959092.tif 000004
【図４】
0005959092.tif 000005
【図５】
0005959092.tif 000006
【図６】
0005959092.tif 000007
【図７】
0005959092.tif 000008
【図８】
0005959092.tif 000009
【図９】
0005959092.tif 000010
【図１０】
0005959092.tif 000011